(57)【特許請求の範囲】
【請求項１】
ウォブリング信号でウォブリングされた情報記録トラックを有すると共にかかる情報記録トラックに隣接するガイドトラック上に所定の間隔でプリピットが形成された光ディスクから当該プリピットに基づいたプリピット信号を検出するプリピット検出装置であって、
前記光ディスクから前記ウォブリング信号に前記プリピット信号が重畳された複合信号を抽出する複合信号抽出手段と、
前記複合信号を中継する中継手段と、
当該中継手段の出力信号から前記プリピット信号成分を検出するプリピット信号検出手段と、
前記中継手段の出力信号から前記ウォブリング信号成分を抽出するウォブリング信号抽出手段と、
抽出された前記ウォブリング信号の周波数と位相とに同期した同期ウォブリング信号を生成する同期ウォブリング信号生成手段と、
前記光ディスク上のディフェクトを検出するディフェクト検出手段と、を備え、
前記中継手段は、前記ディフェクト検出手段によってディフェクトが検出された場合には、前記複合信号に代えて前記同期ウォブリング信号を中継することを特徴とするプリピット検出装置。
【請求項２】
ウォブリング信号でウォブリングされた情報記録トラックを有すると共にかかる情報記録トラックに隣接するガイドトラック上に所定の間隔でプリピットが形成された光ディスクから前記プリピットに基づいたプリピット信号を検出するプリピット検出装置であって、
前記光ディスクから前記ウォブリング信号に前記プリピット信号が重畳された複合信号を抽出する複合信号抽出手段と、
前記複合信号から前記プリピット信号を検出するプリピット信号検出手段と、
前記光ディスク上のディフェクトを検出するディフェクト検出手段と、
前記ディフェクト検出手段によってディフェクトが検出された際に検出された前記プリピット信号を除去する除去手段と、
当該除去手段から出力されるプリピット信号と前記プリピット信号検出手段から出力されるプリピット信号の確からしさを比較していずれか一のプリピット信号を選択するプリピット信号選択手段と、
を備えたプリピット検出装置。
【発明の詳細な説明】
【０００１】
【発明の属する技術分野】
本発明は、使用者によってビデオデータやオーディオデータ等の記録情報を記録可能な光ディスクに予め記録されているアドレス情報等のプリ情報を担うプリピット信号を検出するプリピット検出装置に関する。
【０００２】
【従来の技術】
従来より、記録情報データを追記可能なＷＯ（Write Once）型の高密度記録媒体としてＣＤ−Ｒが知られている。ＣＤ−Ｒは再生専用のＣＤ（Compact Disc）と同程度の記録容量を備える光記録媒体であり、記録情報を記録すべき光ディスク上の位置の検索等に必要なアドレス情報及び同期信号等のＣＤ−Ｒの回転制御に用いられる回転制御情報等のプリ情報が、当該ＣＤ−Ｒの製造時のプリフォーマットの段階で、記録情報を記録するための情報記録トラック（グルーブトラック又はランドトラック）を、記録すべきプリ情報に基づいてＦＭ（Frequency   Moduration）変調した信号で波型に揺動（ウォブリング）させることにより、記録されている。
【０００３】
また、ＣＤ−Ｒに対して実際に情報を記録する際には、当該ウォブリングされているトラックのウォブリング周波数成分を含む信号（以下ウォブリング信号という。）を検出し、これに基づいてＣＤ−Ｒを回転制御するための基準クロックを抽出する。そして、当該抽出した基準クロックに基づいてＣＤ−Ｒを回転させるスピンドルモータを回転制御するための駆動信号を生成すると共に、ＣＤ−Ｒの回転に同期したタイミング情報を含む記録用クロック信号を生成していた。
【０００４】
更に、上記ウォブリング信号から記録情報の記録時に必要なＣＤ−Ｒ上のアドレス情報を取得し、これに基づいて記録すべき位置を検出して記録情報を記録していた。
【０００５】
近年、上記ＣＤ−Ｒよりも記録密度を飛躍的に向上させたＤＶＤ−Ｒ（      Digital Video Disc-Recordable 又はDigital Versatile Disc-Recordable ）の研究が盛んである。このＤＶＤ−Ｒにおいては、その高密度化の要請から隣り合う情報記録トラック間隔がＣＤ−Ｒに比してほぼ半分程度であるため、従来のようにＤＶＤ−Ｒのウォブリングされた情報記録トラックからプリ情報を取得しようとしても、隣接する情報記録トラックにおけるウォブリング信号が干渉しあって正確にウォブリング信号を検出できない場合がある。
【０００６】
そこで、ＤＶＤ−Ｒにおいては、当該ＤＶＤ−Ｒにおける情報記録トラック（例えばグルーブトラック）を基準クロックに基づいた周波数でウォブリングさせると共に、これに加えて、隣り合う２つの情報記録トラックの間にあり光ビームを情報記録トラックに誘導するガイドトラック（例えばランドトラック）に当該プリ情報に対応するプリピットを形成することによっても記録されている。更に、必要に応じて当該プリピットから上記基準クロックを生成できるようにするために、当該プリピットは、ＤＶＤ−Ｒの全面に亘ってほぼ均等に形成されている。
従来は、このようなプリピットを検出することによってプリ情報を取得し、このプリ情報に基づいて正確な回転制御及び記録制御を行っていた。
【０００７】
ところで、従来におけるプリピットの検出は、次のような方法により行われている。
すなわち、図１０に示すように、情報記録トラックに光ビームを照射することによって得られるウォブリング信号に位相同期したゲート信号を生成する。また、ウォブリング信号と所定の閾値信号とを比較することにより、所定の閾値信号を越える信号のみを抽出する。
【０００８】
そして、この抽出した信号と上記ゲート信号との論理積をとることにより、ウォブリング信号に重畳されたプリピット信号を抜き出していた。
【０００９】
【発明が解決しようとする課題】
ところで、ＤＶＤ−Ｒ上に傷や埃等によるディフェクト（欠陥）が存在すると、かかるディフェクトによりウォブリング信号上にパルス状のノイズが重畳される場合があり、このような場合には、上述した従来のプリピットの検出方法を用いたプリピット検出装置ではパルス状のノイズを誤ってプリピット信号として検出してしまうことがあった。
【００１０】
本発明は上述の問題点に鑑みなされたものであり、ディスク上の欠陥によりウォブリング信号にパルス状のノイズ成分が重畳された場合でも、プリピット信号の誤検出を低減することができるプリピット検出装置を提供することを目的とする。
【００１１】
【課題を解決するための手段】
上記課題を解決するために請求項１に記載の発明は、ウォブリング信号でウォブリングされた情報記録トラックを有すると共にかかる情報記録トラックに隣接するガイドトラック上に所定の間隔でプリピットが形成された光ディスクから当該プリピットに基づいたプリピット信号を検出するプリピット検出装置であって、前記光ディスクから前記ウォブリング信号に前記プリピット信号が重畳された複合信号を抽出する複合信号抽出手段と、前記複合信号を中継する中継手段と、当該中継手段の出力信号から前記プリピット信号成分を検出するプリピット信号検出手段と、前記中継手段の出力信号から前記ウォブリング信号成分を抽出するウォブリング信号抽出手段と、抽出された前記ウォブリング信号の周波数と位相とに同期した同期ウォブリング信号を生成する同期ウォブリング信号生成手段と、前記光ディスク上のディフェクトを検出するディフェクト検出手段と、を備え、前記中継手段は、前記ディフェクト検出手段によってディフェクトが検出された場合には、前記複合信号に代えて前記同期ウォブリング信号を中継するように構成される。
【００１２】
請求項１に記載の発明の作用によれば、複合信号抽出手段は、光ディスクに照射した光ビームのかかる光ディスクからの反射光からウォブリング信号にプリピット信号が重畳された複合信号を抽出する。プリピット信号検出手段は中継手段を介して供給される上記複合信号からプリピット信号成分を検出する。一方、ウォブリング信号抽出手段は、中継手段を介して供給される複合信号からウォブリング信号成分を抽出する。また、同期ウォブリング信号生成手段は、抽出されたウォブリング信号の周波数と位相とに同期した同期ウォブリング信号を生成する。さらに、ディフェクト検出手段は、光ビームが照射されている光ディスク上にディフェクトが存在することを検出する。そして、中継手段は、ディフェクト検出手段によりディフェクトの存在が検出された場合には、上記複合信号に代えて同期ウォブリング信号を中継してプリピット信号検出手段に供給せしめる。
【００１３】
したがって、プリピット信号検出手段には、ディフェクトが検出された場合には、複合信号に替わるディフェクトによる影響を受けない同期ウォブリング信号が供給されるので、ディフェクトによって現れるノイズを、プリピット信号として誤って検出することが無い。
【００１４】
上記課題を解決するために請求項２に記載の発明は、ウォブリング信号でウォブリングされた情報記録トラックを有すると共にかかる情報記録ラックに隣接するガイドトラック上に所定の間隔でプリピットが形成された光ディスクから前記プリピットに基づいたプリピット信号を検出するプリピット検出装置であって、前記光ディスクから前記ウォブリング信号に前記プリピット信号が重畳された複合信号を抽出する複合信号抽出手段と、前記複合信号から前記プリピット信号を検出するプリピット信号検出手段と、前記光ディスク上のディフェクトを検出するディフェクト検出手段と、前記ディフェクト検出手段によってディフェクトが検出された際に検出された前記プリピット信号を除去する除去手段と、当該除去手段から出力されるプリピット信号と前記プリピット信号検出手段から出力されるプリピット信号の確からしさを比較していずれか一のプリピット信号を選択するプリピット信号選択手段と、を備えてなる。
【００１５】
請求項２に記載の発明の作用によれば、複合信号抽出手段は、光ディスクに照射した光ビームのかかる光ディスクからの反射光からウォブリング信号にプリピット信号が重畳された複合信号を抽出する。プリピット信号検出手段は抽出された複合信号からプリピット信号を検出する。ディフェクト検出手段は、光ビームが照射されている光ディスク上にディフェクトが存在することを検出する。除去手段は、ディフェクト検出手段によりディフェクトの存在が検出された際に、プリピット信号検出手段で検出されたプリピット信号を、ディフェクトによる誤検出の可能性が有るものとして除去する。そして、プリピット信号選択手段は、プリピット信号検出手段から出力されるプリピット信号と、除去手段を介して出力されるプリピット信号のそれぞれの確からしさを検証するために、例えば当該プリピット信号を復号する際に発生するエラーの数を比較して、よりエラーの少ないプリピット信号を選択する。
【００１６】
したがって、ディフェクトにより発生するノイズがプリピット信号と誤検出された場合であれば、除去手段を介して出力されるプリピット信号が選択出力される。一方、プリピットであるにも拘らずディフェクトの発生位置と重なったために除去手段で除去された場合には、プリピット信号検出手段から出力されるプリピット信号がそのまま選択出力されるので、ディフェクトによる誤検出或いは未検出を低減できて好ましい。
【００１７】
【実施の形態】
次に、本発明に好適な実施形態について図面に基づいて説明する。
初めに、ＤＶＤ−Ｒの構造について説明する。  図１は、本発明の実施形態に関わるＤＶＤ−Ｒの構成の一例を示す斜視図である。図１において、ＤＶＤ−Ｒ１は、色素膜５を備えた１回のみの情報の書込みが可能な色素型ＤＶＤ−Ｒであり、情報記録トラックとしてのグルーブトラック２と当該グルーブトラック２に再生光又は記録光としてのレーザビーム等の光ビームＢを誘導するためのガイドトラックとしてのランドトラック３が形成されている。
【００１８】
また、それらを保護するための保護膜７及び記録された情報を再生する際に光ビームＢを反射するための金蒸着面６を備えている。そして、このランドトラック３にＤＶＤ−Ｒのプリ情報に対応するプリピット４が形成されている。このプリピット４は、ＤＶＤ−Ｒ１の製造過程で予め形成されているものである。
【００１９】
更に、当該ＤＶＤ−Ｒ１においては、グルーブトラック２を当該ＤＶＤ−Ｒ１の回転速度に対応する周波数でウォブリングさせている。このグルーブトラック２のウォブリングによる回転制御情報の記録は、上記プリピット４と同様に、ＤＶＤ−Ｒ１の製造過程で予め行われる。
【００２０】
そして、ＤＶＤ−Ｒ１に記録情報（プリ情報以外の本来記録すべき画像情報等の情報をいう。以下同じ。）を記録する際には、後述の情報記録装置においてグルーブトラック２のウォブリングの周波数を検出することにより回転制御情報を取得してＤＶＤ−Ｒ１を所定の回転速度で回転制御すると共に、プリピット４を検出することにより、予めＤＶＤ−Ｒ１のプリ情報を取得し、プリ情報に含まれる最適出力情報に基づいて記録光としての光ビームＢの最適出力等が設定されると共に、プリ情報に含まれるアドレス情報に基づいて記録情報が対応する記録位置に記録される。
【００２１】
ここで、記録情報の記録時には、光ビームＢをその中心がグルーブトラック２の中心と一致するように照射してグルーブトラック２上に記録情報に対応する記録情報ピットを形成することにより記録情報を記録する。この時、光スポットＳＰの大きさは、図１に示すように、その一部がグルーブトラック２だけでなくランドトラック３にも照射されるように設定される。
【００２２】
そして、このグルーブトラック２並びにランドトラック３に照射された光スポットＳＰの反射光を用いてプッシュプル法（ＤＶＤ−Ｒ１の回転方向に平行な分割線により分割された光検出器を用いたプッシュプル法（以下ラジアルプッシュプル法という。））により、ウォブリング信号にプリピット信号が重畳された複合信号が検出される。さらに、複合信号におけるプリピット信号成分からプリ情報を検出して当該プリ情報が取得されると共に、ウォブリング信号成分から回転制御用のクロック信号が取得される。
【００２３】
次に、本実施形態のＤＶＤ−Ｒ１に予め記録されているプリ情報及び回転制御情報の記録フォーマットについて、図２を用いて説明する。尚、図２において、上段は、記録情報における記録フォーマットを示し、下段の波形は記録情報を記録するグルーブトラック２のウォブリング状態（グルーブトラック２の平面図）を示し、記録情報とグルーブトラック２のウォブリング状態の間の上向き矢印は、プリピット４が形成される位置を模式的に示すものである。ここで、図２においては、グルーブトラック２のウォブリング状態は、理解の容易のため実際の振幅よりも大きい振幅を用いて示してあり、記録情報は当該グルーブトラック２の中心線上に記録される。
【００２４】
図２に示すように、本実施形態においてＤＶＤ−Ｒ１に記録される記録情報は、予め情報単位としてのシンクフレーム毎に分割されている。そして、２６のシンクフレームで一のレコーディングセクタが形成され、更に、１６のレコーディングセクタにより一のＥＣＣ（Error Correcting Code)ブロックが形成される。尚、一のシンクフレームは、上記記録情報を記録する際の記録フォーマットにより規定されるビット間隔に対応する単位長さ（以下、Ｔという。）の１４８８倍（１４８８Ｔ）の長さを有しており、更に、一のシンクフレームの先頭の１４Ｔの長さの部分には、シンクフレーム毎の同期を取るための同期情報ＳＹが記録される。
【００２５】
一方、本実施形態においてＤＶＤ−Ｒ１に記録されるプリ情報は、シンクフレーム毎に記録される。ここで、プリピット４によるプリ情報の記録においては、記録情報の夫々のシンクフレームにおける同期情報ＳＹが記録される領域に隣接するランドトラック３上に、プリ情報における同期信号を示すものとして必ず一のプリピット４が形成される。さらに、当該同期情報ＳＹ以外の当該シンクフレーム内の前半部分に隣接するランドトラック３上に、記録すべきプリ情報の内容（アドレス情報等）を担う二又は一のプリピット４が形成される（尚、同期情報ＳＹ以外の当該シンクフレーム内の前半部分については、記録すべきプリ情報の内容によってはプリピット４が形成されない場合もある。）。
【００２６】
この際、本実施形態においては、一のレコーディングセクタにおいては、偶数番目のシンクフレーム（以下、ＥＶＥＮフレームという。）のみ又は奇数番目のシンクフレーム（以下、ＯＤＤフレームという。）のみにプリピット４が形成されてプリ情報が記録される。すなわち、図２において、ＥＶＥＮフレームにプリピット４が形成された場合には（図２において実線上向き矢印で示す。）それと前後するＯＤＤフレームにはプリピット４が形成されない。
【００２７】
一方、グルーブトラック２は、すべてのシンクフレームに亘って１４０ｋＨｚ（一のシンクフレームが８波に相当する周波数）の基準ウォブリング周波数ｆ  0 でウォブリングされている。そして、後述のプリピット検出装置において、回転中のディスクからウォブリング周波数を検出することでスピンドルモータの回転制御のための信号が検出される。
【００２８】
次に、本発明の第１の実施形態について、図３乃至図５に基づいて説明する。
尚、以下の説明は、ホストコンピュータから送信されてくるデジタル情報を上記ＤＶＤ−Ｒ１に対して記録するための情報記録装置に適用したプリピット検出装置を第１の実施形態として説明するものである。
【００２９】
始めに、本発明の第１の実施形態における情報記録装置の全体構成及び各構成ブロックの動作について説明する。尚、本実施形態では、ＤＶＤ−Ｒ１には、当該ＤＶＤ−Ｒ１上のアドレス情報等を含む上記プリピット４及びウォブリングされたグルーブトラック２が予め形成されており、デジタル情報の記録時には、当該プリピット４を予め検出することによりＤＶＤ−Ｒ１上のアドレス情報を得、これによりデジタル情報を記録するＤＶＤ−Ｒ１上の記録位置を検出して記録するものとする。
【００３０】
図３に示すように、情報記録装置Ｓは、複合信号抽出手段としてのピックアップ１０と、再生増幅器１１と、デコーダ１２と、帯域通過フィルタ（ＢＰＦ）１３と、中継手段としてのマルチプレクサ１４と、ディフェクト検出手段であるディフェクト検出部１５と、スピンドルモータ１６と、ウォブリング抽出手段としてのウォブリング信号抽出部１７と、スピンドルモータ１６の回転制御とピックアップ１０の移動制御を行うサーボ回路１８と、プリピット検出手段としてのプリピット信号検出部１９と、プリピット信号デコーダ２０と、プロセッサ２１と、インターフェース２２と、エンコーダ２３と、パワー制御回路２４と、レーザ駆動回路２５とにより構成される。また、当該情報記録装置Ｓには、外部のホストコンピュータ２６から記録すべきデジタル情報ＳRRがインターフェース２２を介して入力されている。
【００３１】
なお、上記情報記録装置S のうち、ピックアップ１０と、再生増幅器１１と、ＢＰＦ１３と、マルチプレクサ１４と、ディフェクト検出部１５と、ウォブリング信号抽出部１７と、サーボ回路１８と、プリピット信号検出部１９と、プリピット信号デコーダ２０とによってプリピット検出装置Ｐが構成される。
【００３２】
次に、情報記録装置Ｓを構成する各ブロックの動作について主に図３及び図４を用いて説明する。なお、図４は、図３に示す上記プリピット検出装置Ｐを、より具体的な構成ブロックで示したものである。  まず、インターフェース２２は、ＣＰＵ２１の制御のもとで、ホストコンピュータ２６から送信されてくるデジタル情報ＳRRに対して、これを情報記録装置Ｓに取り込むためのインターフェース動作を行い、当該デジタル情報ＳRRをエンコーダ２３に出力する。
【００３３】
エンコーダ２３は、図示しないＥＣＣジェネレータ、８−１６変調部、スクランブラ等を含み、デジタル情報ＳRRに基づいて、再生時のエラー訂正を行う単位である上記ＥＣＣブロックを構成すると共に、当該ＥＣＣブロックに対してインターリーブ及び８−１６変調並びにスクランブル処理を施し、変調信号ＳREを生成する。
【００３４】
パワー制御回路２４は、変調信号ＳREが供給されている時には、かかる変調信号ＳREに基づいて、ピックアップ１０内の図示しないレーザダイオードの出力を制御するための記録信号ＳD を出力すると共に、上記変調信号ＳREが供給されていない時には、レーザダイオードから出射する光ビームＢの出力レベルが、一定の低レベル（再生パワーレベル）となる記録信号ＳD を出力する。
【００３５】
レーザ駆動回路２５は、記録信号ＳD に基づいて、実際に上記レーザダイオードを駆動して光ビームＢを出射するするレーザ駆動信号ＳDLをピックアップ１０に出力する。
【００３６】
ピックアップ１０は、図示しないレーザダイオード、偏光ビームスプリッタ、対物レンズ、光検出器等を含み、上記レーザ駆動信号ＳDLに基づいて光ビームＢをＤＶＤ−Ｒ１の情報記録面に照射して、記録すべきデジタル情報ＳRRを記録すると共に、光ビームＢのＤＶＤ−Ｒ１からの反射光に基づいてラジアルプッシュプル方式により、プリピット４及びグルーブトラック２のウォブリング周波数に対応する情報を含む複合信号ＳCXを抽出して再生増幅器１１に供給する。さらに、光ビームB の情報記録面からの反射光の総和信号（いわゆるＲＦ信号となる。）を検出信号ＳDTとして再生増幅器１１及びディフェクト検出部１５に出力する。
【００３７】
なお、上記複合信号ＳCXは、グルーブトラック２のウォブリング信号と、当該グルーブトラック２と隣接するランドトラック３上のプリピット４に基づくプリピット信号との重畳信号である。
【００３８】
再生増幅器１１は、上記複合信号ＳCXを増幅して、プリピット４及びグルーブトラック２のウォブリング周波数に対応するプリ情報信号ＳPPを出力すると共に、上記検出信号ＳDTを増幅して増幅信号ＳP をデコーダ１２に出力する。
【００３９】
デコーダ１２は、増幅信号ＳP に対して8-16復調及びデインターリーブを施すことにより当該増幅信号ＳP をデコードし復調信号ＳDM、サーボ復調信号ＳSDを出力し、それぞれＣＰＵ２１、サーボ回路１８に供給する。
【００４０】
ディフェクト検出部１５は、供給される検出信号ＳDTからディフェクトを検出した場合にはディフェクトパルス信号ＳDFをマルチプレクサ１４に出力する。より具体的に説明すると、ディフェクト検出部１５は、図４に示す通り、ピークホールド回路１５ａと、当該ピークホールド回路１５ａの時定数より長い時定数を有するピークホールド回路１５ｂと、かかるピークホールド回路１５b の出力信号の振幅レベルを調整するレベル調整部１５c と、これらピークホールド回路１５ａからの出力信号とレベル調整部１５c からの出力信号のレベル比較を行うコンパレータ１５d とからなる。
【００４１】
ピークホールド回路１５ａは、供給された検出信号ＳDTのピークレベルを、設定された時定数に応じた時間だけ保持する。かかる時定数は、本発明によって補償する必要のあるディフェクトのうち、最も小さなディフェクトに応じて決定されるものであり、例えば、数μｓ程度に設定される。この時定数に設定することにより、ピークホールド回路１５ａからは、ディフェクトの発生にほぼ追従してその振幅レベルが低下する、検出信号ＳDTのエンベロープ信号Ｓ１５ａが、コンパレータ１５c の非反転入力端子に出力される。
【００４２】
一方、ピークホールド回路１５ｂは、上記ピークホールド回路１５ａで設定された時定数より十分大なる時定数であって、本発明において補償する必要のあるディフェクトのうち、最も大なるディフェクトに対しても、後述する検出方法で十分に検出することが可能となる時定数である。例えば、数m ｓ程度に設定される。この時定数に設定することにより、ピークホールド回路１５b からは、ディフェクトの発生に対して、その振幅レベルの低下が十分に遅れて追従する検出信号ＳDTのエンベロープ信号Ｓ１５ｂが、レベル調整部１５c に供給される。
【００４３】
レベル調整部１５c は、ディフェクトの発生していない状態において、ピークホールド回路１５ｂから供給されたエンベロープ信号Ｓ１５ｂの振幅レベルが、ピークホールド回路１５ａから出力されるエンベロープ信号Ｓ１５ａの振幅レベルより僅かに小となるように調整した後、かかる調整されたエンベロープ信号Ｓ１５ｃをコンパレータ１５ｄの反転入力端子に出力する。
【００４４】
そして、コンパレータ１５ｄにおいて、供給された各エンベロープ信号Ｓ１５ａ、Ｓ１５c が比較される。ディフェクトが発生しない場合には、ピークホールド回路１５ａ，１５ｂ共に検出信号ＳDTのピークレベルを保持し続けるが、ピークホールド回路１５ｂから出力されるエンベロープ信号Ｓ１５ｂは、レベル調整部１５ｃによってその振幅レベルはエンベロープ信号Ｓ１５ａより僅かに小とされているため、コンパレータ１５ｄからはＨレベルの信号が出力される。
【００４５】
一方、ディフェクトが発生した場合には、エンベロープ信号Ｓ１５ａはピークホールド回路１５ａの時定数が上述のごとき短いため、ディフェクトの発生に応じてすぐに追従してその振幅レベルが低下するが、エンベロープ信号Ｓ１５ｃはピークホールド回路１５ｂの十分に長い時定数によって、ディフェクトが発生してもその振幅レベルはすぐには追従して低下しないため、当該コンパレータ１５ｄからは、図５（ｃ）に示すようにディフェクトが発生した期間（ｔ１乃至ｔ２）に対応するＬレベルのディフェクトパルス信号ＳDFが、マルチプレクサ１４に出力されるのである。
【００４６】
マルチプレクサ１４は、上記ディフェクトパルス信号ＳDFを制御信号とする、いわゆるスイッチとしての作用を担うものであって、ディフェクト検出部１５が検出信号ＳDTからディフェクトを検出しない場合、つまり、ディフェクト検出部１５から上記Ｈレベルのディフェクトパルス信号SDF が供給されている場合には、ＢＰＦ１３によってノイズ成分が除去された再生増幅器１１から出力されるプリ情報信号ＳPPを選択するが、ディフェクト検出部１５がディフェクトを検出した場合、つまり、Ｌレベルのディフェクトパルス信号ＳDFが供給されている場合には、ＢＰＦ１３の出力に代えてサーボ回路１８から出力される後述する同期ウォブリング信号ＳSwを選択してウォブリング信号抽出部１７及びプリピット信号検出部１９に中継出力する。
【００４７】
ウォブリング信号抽出部１７は、図４に示す通り、基準ウォブリング周波数ｆ0 を中心周波数とする帯域通過フィルタ等からなるウォブリング検出部１７ａと、ウォブリング検出部１７ａで検出した検出ウォブリング信号を２値化するコンパレータ１７ｂとで構成され、上記マルチプレクサ１４から中継出力されるプリ情報信号ＳPPまたは同期ウォブリング信号ＳSwのいずれか一の被選択信号に含まれるウォブリング周波数成分を抽出し、抽出ウォブリング信号ＳDTT としてサーボ回路１８に供給する。
【００４８】
サーボ回路１８は、デコーダ１２から供給されるサーボ復調信号ＳSDに基づいて、ピックアップ１０におけるフォーカスサーボ制御及びトラッキングサーボ制御のためのピックアップサーボ信号ＳSPを出力する。また、サーボ回路１８は、当該抽出ウォブリング信号ＳDTT に含まれるウォブリング周波数を用いてスピンドルサーボ信号ＳSSを出力してスピンドルモータ１６の回転を制御する。さらに、サーボ回路１８は、同期ウォブリング信号生成部１８ａを備え、ウォブリング信号抽出部１７から供給される抽出ウォブリング信号ＳDTT に位相同期した同期ウォブリング信号ＳSWを上記マルチプレクサ１４ならびにプリピット信号検出部１９に出力する。
【００４９】
ここで、同期ウォブリング信号生成部１８ａについてより具体的に説明する。
図４に示す通り、同期ウォブリング信号生成部１８ａは、位相比較部１８ｂ、ＬＰＦ１８ｃ、ＶＣＯ（Voltage Controled Oscillater) １８ｄ並びに分周器１８ｅとからなるＰＬＬ回路と、当該ＰＬＬ回路から出力されるパルス信号を平滑して正弦波信号とするＢＰＦ１８ｆと、ゲートパルス生成部１８ｇとからなる。
【００５０】
上記ＰＬＬ回路は、抽出ウォブリング信号ＳDTT の周波数にＶＣＯ１８ｄの発振周波数Ｎｆ0 を同期せしめて、かかる発振周波数Ｍｆ０を分周器１８ｅによってＭ分周してウォブリング信号周期としたパルス信号をＢＰＦ１８ｆによって平滑した後、同期ウォブリング信号ＳSwとしてマルチプレクサ１４並びにプリピット信号検出器１９に出力する。
【００５１】
また、上記ＰＬＬ回路からの出力は、ゲートパルス生成部１８ｇにも出力される。ゲートパルス生成部１８ｇはこのＰＬＬ回路の出力に基づいて、図１０に示すウォブリング信号周期のゲート信号を生成し、後述するプリピット信号検出部１９が備える論理積回路（ＡＮＤ）１９ｃに出力する。
【００５２】
プリピット信号検出部１９は、マルチプレクサ１４から出力されるプリ情報信号Ｓpp及びサーボ回路１８から出力される同期ウォブリング信号ＳSwに基づいてプリピット信号を検出し、検出したプリピット信号をプリピット検出信号ＳPKとしてプリピット信号デコーダ２０に出力する。
【００５３】
ここでプリピット信号検出器１９のより具体的な構成について図４を用いて説明する。
図４に示す通り、プリピット信号検出部１９は、変調手段としての掛け算器１９ａと、コンパレータ１９ｂと、論理積回路（ＡＮＤ）１９ｃによって構成される。
【００５４】
掛け算器１９ａは、マルチプレクサ１４から出力されるプリ情報信号Ｓppを、同期ウォブリング信号生成部から出力される同期ウォブリング信号ＳSwによって振幅変調するものであり、プリ情報信号Ｓppからプリピット信号を検出し易くするために、当該プリ情報信号Ｓppにおいてプリピット信号成分が重畳されるウォブリング信号の腹の部分の振幅を強調すると共にその他の部分の振幅を低減せしめる。この振幅変調を受けた信号Ｓ１９ａは、コンパレータ１９ｂに出力されてプリピット検出するための閾値Ｖthと比較された後、ＡＮＤ回路１９ｃに供給される。
【００５５】
そして、ＡＮＤ回路１９ｃは、上述したゲートパルス生成部１８ｇから供給されるゲート信号とコンパレータ１９ｂから出力されるパルス信号Ｓ１９b との論理積を取り、ゲートが開いている（Ｈレベル）期間に上記パルス信号Ｓ１９b が到来したとき、かかるパルス信号Ｓ１９b をプリピット検出信号ＳPKとしてプリピット信号デコーダ２０に出力する。
【００５６】
なお、上記プリピット信号検出部１９に係る動作説明については、特願平９−１３００６１号に詳細に述べられている。
【００５７】
プリピット信号デコーダ２０は、供給されたプリピット検出信号ＳPKを復調して復調プリピット信号ＳPDを生成し、ＣＰＵ２１に出力する。
【００５８】
最後に、ＣＰＵ２１は、デジタル情報ＳRRのＤＶＤ−Ｒ１への記録に先立って入力される上記復調プリピット信号ＳPDを用いてアドレス情報を取得し、当該アドレス情報に対応するＤＶＤ−Ｒ１上の位置に、上記デジタル情報ＳRRを記録する動作を制御する。また、ＣＰＵ２１は、入力される復調信号ＳDMに基づいてＤＶＤ−Ｒ１に既に記録されていたデジタル情報に対応する再生信号ＳOTを外部に出力すると共に、情報記録装置Ｓ全体を主として制御する。
【００５９】
次に、上記プリピット検出装置Ｐの具体的な動作について図５を用いて説明する。なお、図５は、図４に示したプリピット検出装置Ｐにおいて、本発明に係る主要部分の波形図である。
【００６０】
まず、ディフェクト検出部１５が検出信号ＳDT中にディフェクトを検出しない場合には（図中ｔ１以前、或いはｔ２以降の期間であって、ディフェクト検出信号ＳDFはＨレベルである。）、マルチプレクサ１４はＢＰＦ１３を介して供給されるプリ情報信号Ｓppを選択的に出力するため、図５（ａ）、（ｅ）に示されるとおり、マルチプレクサ１４からはプリ情報信号Ｓppが出力される。
【００６１】
一方、ディフェクト検出部１５がプリ情報信号Ｓpp中にディフェクトを検出した場合（図５中のｔ１乃至ｔ２の期間であり、ディフェクト検出信号ＳDFはＬレベルである。）には、マルチプレクサ１４はプリ情報信号Ｓppに代えて同期ウォブリング信号ＳSWを選択的に出力する。つまり、図５（ｅ）に示される通り、時刻ｔ１までプリ情報信号Ｓppであったものがディフェクトが検出された期間だけ同期ウォブリング信号ＳSw（図５（ｄ））に置き換えられるのである。
【００６２】
このように、ディフェクトによってノイズが発生した部分（図５（ａ）におけるｔ１乃至ｔ２期間に発生するノイズ）を同期ウォブリング信号生成部１８ａにおけるＰＬＬ回路から供給される、ディフェクトの影響を受けない同期ウォブリング信号ＳSwに置換するため、ディフェクトによる上記ノイズ発生部分がノイズのない状態とされることとなり、後段のプリピット信号検出部１９がディフェクトによる上記ノイズ発生部分を誤ってプリピットとして検出することがなくなるのである。
【００６３】
また、同期ウォブリング信号生成部１８ａには、上記ディフェクトの発生期間（t １乃至t ２の期間）は同期ウォブリング信号Ｓｓｗが供給されるので、この間ディフェクトによって同期状態が乱されることがなく、再びプリ情報信号Ｓ  ppの供給が開始された際（つまり、t ２以降）には、かかるプリ情報信号Ｓppの位相に素早く引き込むことができる。
【００６４】
次に、本発明の請求項２に関わるプリピット検出装置Ｐに対する実施の形態について、図６乃至図９に基づいて説明する。
図６は、本発明の第２の実施形態であるプリピット検出装置Ｐを含む情報記録装置Ｓs の全体構成図である。尚、図３に示す情報記録装置Ｓ（図３）と同等の構成部分については、同一の符号を付し、その説明は適宜省略する。
【００６５】
図６に示す情報記録装置Ｓs において、プリピット検出装置Ｐp は、ピックアップ１０と、再生増幅器１１と、ＢＰＦ１３と、マルチプレクサ１４と、ディフェクト検出部１５と、ウォブリング信号抽出部１７と、サーボ回路１８と、プリピット信号検出部１９と、プリピット信号デコーダ２７とによって構成される。
【００６６】
第２の実施形態では、マルチプレクサ１４は、ウォブリング信号抽出部１７の後段に配され、ディフェクト検出部１５から出力されるディフェクトパルス信号ＳDFを制御信号として、同期ウォブリング信号生成部１８ａから出力される同期ウォブリング信号Ｓswと同位相のパルスウォブリング信号ＳWPと、抽出ウォブリング信号ＳDTT とを選択的に切換えて、同期ウォブリング信号生成部１８ａに中継出力するように構成されている。
【００６７】
また、ディフェクト検出部１５から出力されるディフェクトパルス信号ＳDFはプリピット信号デコーダ２７にも供給され、後述するプリピット検出信号ＳPDの確からしさの検証に用いられる。
【００６８】
図７及び図８にプリピット検出装置Ｐp のより具体的な構成を示す。
図中、ディフェクト検出部１５は、供給される検出信号ＳDTからディフェクトを検出した場合にはＬレベルのディフェクトパルス信号ＳDFをマルチプレクサ１４及びプリピット信号デコーダ２７に供給する。
【００６９】
マルチプレクサ１４は、ディフェクト検出部１５がディフェクトを検出しない場合には（ディフェクトパルス信号ＳDFがＬレベル）、ウォブリング信号抽出部１７からの抽出ウォブリング信号ＳDTT をサーボ回路１８に中継出力するが、ディフェクトを検出した場合には（ディフェクトパルス信号ＳDFがＨレベル）、上記ウォブリング信号抽出部１７から供給される抽出ウォブリング信号ＳDTT に代えて同期ウォブリング信号生成部１８ａにおけるＰＬＬ回路からの出力信号であるパルスウォブリング信号ＳWPを選択してサーボ回路１８に出力する。
【００７０】
さらに、プリピット信号検出部１９は、ＢＰＦ１３を介して供給されるプリ情報信号Ｓpp及び同期ウォブリング信号ＳSwを用いてプリピットを検出し、プリピット検出信号ＳPKをプリピット信号デコーダ２７に出力する。
【００７１】
図８にプリピット信号デコーダ２７のより具体的な構成を示す。図８に示すように、プリピット信号デコーダ２７は、プリピット検出信号ＳPKが直接供給され、かかるプリピット検出信号を所定量単位（例えば、プリピットが復号可能となる１ＥＣＣブロック分）でデータ復号する復号器２７ａと、かかる復号器２７ａにおける復号動作時に検出される検出エラーの数を計数するカウンタ２７ｄと、プリピット検出信号ＳPKとディフェクトパルス信号ＳDFとの論理積を取り、ディフェクトが発生した際に検出したプリピット信号を除去する除去手段としての論理積回路２７ｃと、この論理積回路２７ｃからの出力信号をプリピット検出信号として上記所定量単位で復号する復号器２７ｂと、この復号器２７ｂにおける復号動作時に検出される検出エラーの数を計数するカウンタ２７ｅと、カウンタ２７ｄ並びにカウンタ２７ｅがそれぞれ出力する検出エラーの数を比較する比較器２７ｆと、この比較器２７ｆからの出力信号に応じて復号器２７ａと復号器２７ｂのいずれか一の出力を選択的にＣＰＵ２１に供給するマルチプレクサ２７ｇとからなる。
【００７２】
次に、上記の如く構成されたプリピット検出装置Ｐp においてプリピットを検出する場合の動作について図９を用いて説明する。なお、図９は、図７に示したプリピット検出装置Ｐp の本発明に係る主要部分の波形図である。
【００７３】
まず、ディフェクト検出部１５が検出信号ＳDT中にディフェクトを検出しない場合には（図中ｔt １以前、或いはｔt ２以降の期間であって、ディフェクトパルス信号ＳDFはＨレベルである。）、マルチプレクサ１４はウォブリング信号抽出部１７を介して供給される抽出ウォブリング信号ＳDTT を選択的に出力するため、図９（ｇ）、（ｉ）に示されるとおり、マルチプレクサ１４からは抽出ウォブリング信号ＳDTT がそのまま同期ウォブリング信号生成部１８ａに供給される。そして、同期ウォブリング信号生成部１８ａは、供給された抽出ウォブリング信号ＳDTT に位相同期した同期ウォブリング信号ＳSWをプリピット信号検出部１９における掛け算器１９ａに出力すると共に、抽出ウォブリング信号ＳDTT に位相同期したゲート信号ＳGTを論理積回路１９ｃに出力する。
【００７４】
一方、ディフェクト検出部１５が検出信号ＳDT中にディフェクトを検出した場合（図９中のｔｔ１乃至ｔｔ２の期間であり、ディフェクトパルス  信号ＳDFはＬレベルである。）には、マルチプレクサ１４は抽出ウォブリング信号ＳDTT に代えてウォブリングパルス信号Ｓwpを選択的に出力する。つまり、図９（ｉ）に示す通り、時刻ｔｔ１まで抽出ウォブル信号ＳDTT であったものが、ディフェクトが検出された期間だけウォブリングパルス信号Ｓwp（図９（ｈ））に置き換えられるのである。
【００７５】
したがって、同期ウォブリング信号生成部１８ａは、ディフェクトの影響を受けることなく同期ウォブリング信号Ｓsw並びにゲート信号ＳGTを生成できるので、プリピット検出部１９における掛け算器１９ａには連続した同期ウォブリング信号Ｓswが供給されると共に、論理積回路１９ｃには連続したゲート信号Ｓ  GTが供給されることになる。そして、プリピット検出部１９は、供給される上記同期ウォブリング信号Ｓswおよびゲート信号ＳGTに基づいて、ディフェクトの発生に関係なく、プリピット信号の検出動作を行い、プリピット検出信号ＳPKをプリピット信号でコーダ２７に出力する。
【００７６】
一方、ディフェクトパルス信号ＳDFは、プリピット信号デコーダ２７における論理積回路２７ｃの一入力端子にも供給されている。論理積回路２７ｃの他方の入力端子にはプリピット検出信号ＳPKが供給されているから、論理積回路２７ｃからは、ディフェクト検出信号ＳDFがＨレベルの期間、つまり、ディフェクトが発生していない期間にプリピット信号検出部からプリピット検出信号ＳPKが供給された場合のみかかるプリピット検出信号ＳPKを復号器２７ｂに供給する構成となっている。また、復号器２７ａには、プリピット検出部１９から出力されたプリピット検出信号ＳPKが直接供給される。つまり、ディフェクトの発生に関係なく検出されたプリピット信号ＳP が供給される。
【００７７】
したがって、上記復号器２７ａは、ディフェクトの発生によって本来プリピットではないノイズ信号を誤ってプリピットとして検出する場合が有りうると共に、復号器２７ｂは、本来プリピットであるにも拘らず、ディフェクトの発生期間に当たったために論理積回路２７c の作用によって、プリピットとしては検出されない場合が有りうるのである。
【００７８】
そこで、第２の実施形態では、各復号器２７ａ，２７ｂにおける上記所定単位量当たりの復号において発生するエラー信号の個数をカウンタ２７ｄ、２７ｅによって計数し、かかる計数値を比較器２７ｆで比較して、より少ないエラー数となる復号出力がより確からしい復号を行なっているものとして選択的に出力する構成を採用するのである。
【００７９】
このように、第２の実施形態のプリピット検出装置Ｐp によれば、ディフェクトに対するプリピット検出動作に対する補償処理を行なうことによって、逆に誤検出の発生を促してしまうという不具合を低減することが可能となる。
【００８０】
【発明の効果】
請求項１に記載の発明によれば、ディフェクト検出手段がディフェクトを検出する場合はプリピット信号検出手段に複合信号ＳCXの換わりに同期ウォブリング信号Ｓswが供給されるので、プリピット信号検出手段は、ディフェクト等によって現れるノイズ信号をプリピットとして検出することがない。従って、プリピット信号の誤検出を低減することができるという効果が得られて好ましい。
【００８１】
請求項２に記載の発明によれば、ディフェクトにより発生するノイズがプリピット信号と誤検出されたとみなされる場合であれば、除去手段（論理積回路２７c ）を介して出力されるプリピット信号を復調した信号が復調プリピット信号ＳPDとして選択出力される。一方、プリピットであるにも拘らずディフェクトの発生位置と重なったために除去手段で除去されたとみなされる場合には、プリピット信号検出手段から出力されるプリピット信号を復調した信号が復調プリピット信号ＳPDとして選択出力されるので、ディフェクトによる誤検出或いは未検出を低減できて好ましい。
【図面の簡単な説明】
【図１】本発明の実施の形態に関わるＤＶＤ−Ｒの構成の一例を示す斜視図である。
【図２】本発明の実施形態に関わるＤＶＤ−Ｒにおける記録フォーマットの一例を示す図である。
【図３】本発明の第１の実施形態における情報記録装置Ｓの全体構成図である。
【図４】第１の実施形態におけるプリピット検出装置Ｐの主要構成を示すブロック図である。
【図５】本発明の第１の実施形態におけるプリピット検出装置Ｐの各部における信号波形を示す図である。
【図６】本発明の第２の実施形態における情報記録装置Ｓの全体構成図である。
【図７】第２の実施形態におけるプリピット検出装置Ｐp の主要構成を示すブロック図である。
【図８】第２の実施形態におけるプリピット検出装置Ｐp のデコーダの詳細図である。
【図９】本発明の第２の実施形態におけるプリピット検出装置Ｐp の各部における信号波形を示す図である。
【図１０】従来のプリピット信号検出方法を説明するための再生信号及びゲート信号の波形を示す図である。
【符号の説明】
１・・・・・・ＤＶＤ−Ｒ
２・・・・・・グルーブトラック（情報記録トラック）
３・・・・・・ランドトラック（ガイドトラック）
４・・・・・・プリピット
１０・・・・・・ピックアップ（複合信号抽出手段）
１１・・・・・・再生増幅器（複合信号抽出手段）
１２・・・・・・デコーダ
１３・・・・・・帯域通過フィルタ（ＢＰＦ）
１４・・・・・・マルチプレクサ（中継手段）
１５・・・・・・ディフェクト検出部９ディフェクト検出手段）
１５ａ、１５ｂ・・ピークホールド回路
１５ｃ・・・・・ＤＣレベルゲイン調整手段
１５ｄ、１９ｂ・・・・・コンパレータ
１６・・・・・・スピンドルモータ
１７・・・・・・ウォブリング信号抽出部（ウォブリング信号抽出手段）
１７ａ・・・・・ウォブリング検出部
１７b ・・・・・・コンパレータ
１８・・・・・・サーボ回路
１８ａ・・・・同期ウォブリング信号生成部（同期ウォブリング信号生成手
段）
１８ｂ・・・・位相比較部
１８ｃ・・・・ＬＰＦ
１８ｄ・・・・ＶＣＯ
１８ｅ・・・・分周器
１８ｆ・・・・ＢＰＦ
１８ｇ・・・・ゲートパルス生成部
１９・・・・・・プリピット信号検出部（プリピット信号検出手段）
１９ａ・・・・掛け算器
１９ｃ・・・・論理積回路
２０、２７・・・・・・プリピット信号デコーダ
２１・・・・・・プロセッサ（ＣＰＵ）
２２・・・・・・インターフェース
２３・・・・・・エンコーダ
２４・・・・・・パワー制御回路
２５・・・・・・レーザ駆動回路
２６・・・・・・ホストコンピュータ
２７ａ、２７ｂ・・・・・・復号器（プリピット信号選択手段）
２７c ・・・・・・論理積回路（除去手段）
２７ｄ、２７ｅ・・・・・カウンタ（プリピット信号選択手段）
２７ｆ・・・・・比較手段（プリピット信号選択手段）
２７ｇ・・・・・マルチプレクサ（プリピット信号選択手段）
Ｓ・・・・・・情報記録装置
Ｐ・・・・・・プリピット検出装置
ＳCX・・・・・・複合信号
ＳDT・・・・・・検出信号
Ｓpp・・・・・・プリ情報信号
Ｓp ・・・・・・増幅信号
ＳDM・・・・・・復調信号
ＳDF・・・・・・ディフェクトパルス信号
Ｓsw・・・・・・同期ウォブリング信号
ＳDTT ・・・・・・抽出ウォブリング信号
ＳPK・・・・・・プリピット検出信号
ＳPD・・・・・・復調プリピット信号
【図１】
0003732650.tif 000002
【図２】
0003732650.tif 000003
【図３】
0003732650.tif 000004
【図４】
0003732650.tif 000005
【図５】
0003732650.tif 000006
【図６】
0003732650.tif 000007
【図７】
0003732650.tif 000008
【図８】
0003732650.tif 000009
【図９】
0003732650.tif 000010
【図１０】
0003732650.tif 000011